(57)【特許請求の範囲】
【請求項１】
キャパシティブインピーダンスコンポネント、誘導性インピーダンスコンポネント或いは抵抗性インピーダンスコンポネントによって、第一インピーダンスを構成し、
キャパシティブインピーダンスコンポネント、誘導性インピーダンスコンポネント或いは抵抗性インピーダンスコンポネントによって、第二インピーダンスを構成し、
直列接続されている前記第一インピーダンスおよび前記第二インピーダンスの両端に、固定或いは可変電圧、及び、固定或いは可変周波数の交流電気エネルギーを入力し、或いは、直流電源から転換される固定或いは可変電圧及び固定或いは可変周波数或いは可変周期を有する二方向性正弦波電圧、二方向性方波電圧、或いは二方向性脈動波形の電圧の交流電気エネルギーを入力し、或いは、交流電気エネルギーを整流した直流電気エネルギーを再転換した固定或いは可変電圧及び固定或いは可変周波数或いは周期を有する二方向性正弦波電圧、二方向性方波電圧、或いは二方向性脈動波形の電圧の交流電気エネルギーを入力し、
直列接続されている前記第一インピーダンス及び前記第二インピーダンスを通して、入力される電源電圧は分圧され、前記第一インピーダンス及び前記第二インピーダンスに直接接続されている整流装置（ＢＲ１０１）へ直接伝送され、
一方向性導電発光ダイオードセットは、発光ダイオード（ＬＥＤ１０１）によって構成され、前記整流装置（ＢＲ１０１）の直流出力端に並列接続され、前記整流装置（ＢＲ１０１）から出力する直流電気エネルギーによって駆動され発光し、
前記第一インピーダンス、前記第二インピーダンス、前記整流装置（ＢＲ１０１）、前記一方向性導電発光ダイオードセット、および前記発光ダイオードは、一個以上設けられ、
直列接続された前記発光ダイオード（ＬＥＤ１０１）および前記限流抵抗（Ｒ１０３）の両端、或いは直接前記発光ダイオード（ＬＥＤ１０１）の両端に、極性に従って前記充放電可能装置（ＥＳＤ１０１）が並列接続され、前記充放電可能装置（ＥＳＤ１０１）はアットランダムに充電或いは放電することによって、前記発光ダイオード（ＬＥＤ１０１）の発光安定度を維持し、断電時、充放電可能装置（ＥＳＤ１０１）に貯蔵された電気エネルギーを出力することより、発光ダイオード（ＬＥＤ１０１）を駆動し持続発光させ、
前記充放電可能装置（ＥＳＤ１０１）は、充放電可能な電池、超コンデンサまたはコンデンサによって構成されることを特徴とする二方向性電気エネルギーインピーダンス分圧によるＬＥＤ一方向性駆動回路（Ｕ１００）。
【請求項２】
前記一方向性導電発光ダイオードセット（Ｌ１００）の中の前記発光ダイオード（ＬＥＤ１０１）を駆動し、連続直流によって通電発光することを特徴とする請求項１に記載の二方向性電気エネルギーインピーダンス分圧によるＬＥＤ一方向性駆動回路。
【請求項３】
更に一方向性導電発光ダイオードセットＬ１００を蓄放電可能装置ＥＳＤ１０１と接続し、発光ダイオードＬＥＤ１０１と限流抵抗Ｒ１０３を直列接続後の両端、極性に従って充放電可能装置ＥＳＤ１０１を並列接続し、
充放電可能装置ＥＳＤ１０１は、アットランダムに充電或いは放電することによって、発光ダイオードＬＥＤ１０１の発光安定度を安定させ、断電時、充放電可能装置ＥＳＤ１０１より貯蔵した電気エネルギーを出力することより、発光ダイオードＬＥＤ１０１を駆動して持続発光させることを特徴とする請求項１に記載の二方向性電気エネルギーインピーダンス分圧によるＬＥＤ一方向性駆動回路。
【請求項４】
更に一方向性導電発光ダイオードセットＬ１００を蓄放電可能装置ＥＳＤ１０１と接続し、直接に発光ダイオードＬＥＤ１０１の両端に、極性に従って充放電可能装置ＥＳＤ１０１を並列接続し、
充放電可能装置ＥＳＤ１０１は、アットランダムに充電或いは放電することによって、発光ダイオードＬＥＤ１０１の発光安定度を安定させ、断電時、充放電可能装置ＥＳＤ１０１より貯蔵した電気エネルギーを出力することより、発光ダイオードＬＥＤ１０１を駆動して持続発光させることを特徴とする請求項１に記載の二方向性電気エネルギーインピーダンス分圧によるＬＥＤ一方向性駆動回路。
【発明の詳細な説明】
【技術分野】
【０００１】
本発明は、二方向性電気エネルギーインピーダンス分圧によるＬＥＤ一方向性駆動回路に関し、特に、一種の交流電気エネルギー或いは周期交換極性を持つ電気エネルギーが、互いに直列接続する抵抗性インピーダンスコンポネント、誘導性インピーダンスコンポネント或いはキャパシティブインピーダンスコンポネントへ伝送する電源に用いられ、その電源電圧を分圧され、かつ整流装置によって分圧の電気エネルギーを一方向性直流に整流してから、一方向性導電の発光ダイオードを駆動し、或いは少なくとも二個別々に第一インピーダンス及び第二インピーダンスの両端に並列接続する整流装置を駆動し、整流装置によって別々に第一インピーダンス及び第二インピーダンスの交流電気エネルギーを直流に整流して出力してから、更に個別の一方向性導電発光ダイオードを駆動するものに関する。
【背景技術】
【０００２】
従来の交流の電気エネルギー或いは直流の電気エネルギーをＬＥＤ駆動回路の電源とするとき、ＬＥＤ電流を制限するために、通常は限流抵抗を直列接続してインピーダンスとし、直列抵抗性インピーダンスの電圧が下がると、電気エネルギーを損失し、蓄熱するという欠点がある。
【発明の概要】
【発明が解決しようとする課題】
【０００３】
本発明の二方向性電気エネルギーインピーダンス分圧によるＬＥＤ一方向性駆動回路を高周波の二方向性電気エネルギーの電源へ応用すると、小型化、軽量化、コスト削減が可能である。
【課題を解決するための手段】
【０００４】
本発明は、キャパシティブインピーダンスコンポネント、誘導性インピーダンスコンポネント或いは抵抗性インピーダンスコンポネントによって、第一インピーダンスを構成し、キャパシティブインピーダンスコンポネント、誘導性インピーダンスコンポネント或いは抵抗性インピーダンスコンポネントによって、第二インピーダンスを構成し、第一インピーダンスと第二インピーダンスとを直列接続したその両端は、以下のいずれかが入力される。
【０００５】
（１）固定或いは可変電圧及び固定或いは可変周波数の交流電気エネルギー。
（２）直流電源から転換される固定或いは可変電圧及び固定或いは可変周波数或いは周期の二方向性正弦波電圧、二方向性方波電圧、或いは二方向性脈動波形の電圧の交流電気エネルギー。
（３）交流電気エネルギーを整流した直流電気エネルギーを再転換した固定或いは可変電圧及び固定或いは可変周波数或いは周期の二方向性正弦波電圧、二方向性方波電圧、或いは二方向性脈動波形の電圧の交流電気エネルギー。
直列接続する第一インピーダンス及び第二インピーダンスを通して、入力する電源電圧を分圧し、分圧の電気エネルギーを整流装置へ伝送し、かつ発光ダイオードによって一方向性導電発光ダイオードセットを構成し、整流装置の直流出力端に並列接続し、整流装置から出力する直流電気エネルギーによって駆動かつ発光する。
【図面の簡単な説明】
【０００６】
【図１】本発明の実施形態による二方向性電気エネルギーインピーダンス分圧によるＬＥＤ一方向性駆動回路を示すブロック図である。
【図２】本発明の第１実施形態による二方向性電気エネルギーインピーダンス分圧によるＬＥＤ一方向性駆動回路の回路例を示す模式図である。
【図３】本発明の第２実施形態による二方向性電気エネルギーインピーダンス分圧によるＬＥＤ一方向性駆動回路の回路例を示す模式図である。
【図４】本発明の第３実施形態による二方向性電気エネルギーインピーダンス分圧によるＬＥＤ一方向性駆動回路の回路例を示す模式図である。
【図５】本発明の第３実施形態による二方向性電気エネルギーインピーダンス分圧によるＬＥＤ一方向性駆動回路の他の回路例を示す模式図である。
【図６】本発明の第４実施形態による二方向性電気エネルギーインピーダンス分圧によるＬＥＤ一方向性駆動回路の昇圧回路例を示すブロック図である。
【図７】本発明の第４実施形態による二方向性電気エネルギーインピーダンス分圧によるＬＥＤ一方向性駆動回路の降圧回路例を示すブロック図である。
【図８】本発明の第４実施形態による二方向性電気エネルギーインピーダンス分圧によるＬＥＤ一方向性駆動回路の他の回路例を示すブロック図である。
【図９】本発明の第５実施形態による二方向性電気エネルギーインピーダンス分圧によるＬＥＤ一方向性駆動回路の昇圧回路例を示すブロック図である。
【図１０】本発明の第５実施形態による二方向性電気エネルギーインピーダンス分圧によるＬＥＤ一方向性駆動回路の降圧回路例を示すブロック図である。
【図１１】本発明の第５実施形態による二方向性電気エネルギーインピーダンス分圧によるＬＥＤ一方向性駆動回路の他の回路例を示すブロック図である。
【発明を実施するための形態】
【０００７】
本発明の実施形態による二方向性電気エネルギーインピーダンス分圧によるＬＥＤ一方向性駆動回路は、少なくとも一個のキャパシティブインピーダンスコンポネント、誘導性インピーダンスコンポネント或いは抵抗性インピーダンスコンポネントによって第一インピーダンスを構成し、かつ少なくとも一個のキャパシティブインピーダンスコンポネント、誘導性インピーダンスコンポネント或いは抵抗性インピーダンスコンポネントによって第二インピーダンスを構成し、第一インピーダンスコンポネントと第二インピーダンスコンポネントとを直列接続し、かつ少なくとも一個の整流装置を設け、整流装置の交流入力端へ第一インピーダンス或いは第二インピーダンスの両端の分圧の電気エネルギーを入力する。さらに、少なくとも一個の一方向性導電の発光ダイオードセットを設け、整流装置から出力する直流電気エネルギーによって駆動される。
【０００８】
第一インピーダンスと第二インピーダンスとを直列接続したその両端は以下のいずれかが入力される。
（１）固定或いは可変電圧及び固定或いは可変周波数の交流電気エネルギー。
（２）直流電源から転換した固定或いは可変電圧及び固定或いは可変周波数或いは周期の二方向性正弦波電圧、二方向性方波電圧、或いは二方向性脈動波形の電圧の交流電気エネルギー。
（３）交流電気エネルギーを整流した直流電気エネルギーを再転換した固定或いは可変電圧及び固定或いは可変周波数或いは周期の二方向性正弦波電圧、二方向性方波電圧、或いは二方向性脈動波形の電圧の交流電気エネルギー。
【０００９】
第一インピーダンス或いは第二インピーダンスの分圧の電気エネルギーを、整流装置によって直流電気エネルギーに整流してから、少なくとも一個の一方向性導電発光ダイオードを駆動し、或いは少なくとも二個の別々に並列接続する第一インピーダンス及び第二インピーダンスの両端にある整流装置を駆動し、整流装置によって、別々に第一インピーダンス及び第二インピーダンスの交流電気エネルギーを直流に整流して出力し、更に個別の一方向性導電発光ダイオードを駆動する。
【００１０】
図１は、本発明の実施形態による二方向性電気エネルギーインピーダンス分圧によるＬＥＤ一方向性駆動回路を示すブロック図である。図１に示すように、ＬＥＤ一方向性駆動回路Ｕ１００は、関連回路機能を制御する。ＬＥＤ一方向性駆動回路Ｕ１００の構成は、第一インピーダンスＺ１０１、第二インピーダンスＺ１０２、整流装置ＢＲ１０１及び一方向性導電発光ダイオードセットＬ１００を備える。
【００１１】
第一インピーダンスＺ１０１は、以下のいずれかを満たす。
（１）第一インピーダンスＺ１０１は、必要に応じてキャパシティブインピーダンスコンポネント、誘導性インピーダンスコンポネント或いは抵抗性インピーダンスコンポネントの中の一種或いは一種以上及び一個或いは一個以上のインピーダンスコンポネントによって構成され、或いは必要に応じて二種或いは二種以上のインピーダンスコンポネントによって構成される。かつ各種インピーダンスコンポネントは別々に一個或いは一個以上で、直列、並列または直並列接続によって構成される。
【００１２】
（２）第一インピーダンスＺ１０１は、少なくとも一個のキャパシティブインピーダンスコンポネントと少なくとも一個の誘導性インピーダンスコンポネントとを互いに直列接続し、その固有直列共振（ｓｅｒｉｅｓ  ｒｅｓｏｎａｎｃｅ）周波数は、電源からの二方向電気エネルギー、例えば交流電気エネルギーの周波数、或いは直流電気エネルギーから転換される固定或いは可変交換極性周期の電気エネルギーの交換極性周期と同じで、かつ直列共振状態を形成する。
【００１３】
（３）第一インピーダンスＺ１０１は、少なくとも一個のキャパシティブインピーダンスコンポネントと少なくとも一個の誘導性インピーダンスコンポネントとを互いに並列接続し、その固有並列共振（ｐａｒａｌｌｅｌ  ｒｅｓｏｎａｎｃｅ）周波数は、電源からの二方向電気エネルギー、例えば交流電気エネルギーの周波数、或いは直流電気エネルギーから転換される固定或いは可変交換極性周期の電気エネルギーの交換極性周期と同じで、かつ並列共振状態を形成する。
【００１４】
第二インピーダンスＺ１０２は、以下のいずれかを満たす。
（１）第二インピーダンスＺ１０２は、必要に応じてキャパシティブインピーダンスコンポネント、誘導性インピーダンスコンポネント或いは抵抗性インピーダンスコンポネントの中の一種或いは一種以上及び一個或いは一個以上のインピーダンスコンポネントによって構成され、或いは必要に応じて二種或いは二種以上のインピーダンスコンポネントによって構成される。かつ各種インピーダンスコンポネントは一個或いは一個以上で、直列、並列または直並列接続によって構成される。
【００１５】
（２）第二インピーダンスＺ１０２は、少なくとも一個のキャパシティブインピーダンスコンポネントと少なくとも一個の誘導性インピーダンスコンポネントとを互いに直列接続し、その固有直列共振周波数は、電源からの二方向電気エネルギー、例えば交流電気エネルギーの周波数、或いは直流電気エネルギーから転換される固定或いは可変交換極性周期の電気エネルギーの交換極性周期と同じで、かつ直列共振状態を形成する。
【００１６】
（３）第二インピーダンスＺ１０２は、少なくとも一個のキャパシティブインピーダンスコンポネントと少なくとも一個の誘導性インピーダンスコンポネントとを互いに並列接続し、その固有並列共振周波数は、電源からの二方向電気エネルギー、例えば交流電気エネルギーの周波数、或いは直流電気エネルギーから転換される固定或いは可変交換極性周期の電気エネルギーの交換極性周期と同じで、かつ並列共振状態を形成する。
【００１７】
また、少なくとも一個の第一インピーダンスＺ１０１と少なくとも一個の第二インピーダンスＺ１０２とを互いに直列接続し、第一インピーダンスＺ１０１と第二インピーダンスＺ１０２とを互いに直列接続したその両端は以下のいずれかが入力される。
（１）固定或いは可変電圧及び固定或いは可変周波数の交流電気エネルギー。
（２）直流電源から転換される固定或いは可変電圧及び固定或いは可変周波数或いは周期の二方向性正弦波電圧、二方向性方波電圧、或いは二方向性脈動波形の電圧の交流電気エネルギー。
（３）交流電気エネルギーを整流した直流電気エネルギーを再転換した固定或いは可変電圧及び固定或いは可変周波数或いは周期の二方向性正弦波電圧、二方向性方波電圧、或いは二方向性脈動波形の電圧の交流電気エネルギー。
【００１８】
またさらに、入力する電気エネルギーが第一インピーダンスＺ１０１の両端及び第二インピーダンスＺ１０２の両端に形成する分圧の電気エネルギーを通して、分圧の電気エネルギーを整流装置ＢＲ１０１の交流入力端へ伝送する。
整流装置ＢＲ１０１は、第一インピーダンスＺ１０１或いは第二インピーダンスＺ１０２の両端に並列接続し、或いは第一インピーダンスＺ１０１及び第二インピーダンスＺ１０２のそれぞれの両端に並列接続することによって、第一インピーダンスＺ１０１或いは第二インピーダンスＺ１０２の両端に分圧された電気エネルギーを直流の電気エネルギーに整流し、一方向性導電発光ダイオードセットＬ１００を駆動する。
【００１９】
整流装置ＢＲ１０１は、ブリッジ整流器或いは半波整流器より構成することが可能であり、整流装置ＢＲ１０１の数量は、一個或いは一個以上である。
一方向性導電発光ダイオードセットＬ１００は、一個の発光ダイオード順発光電流極性検出器より構成し、或いは二個或いは二個以上の発光ダイオード順発光電流極性検出器を直列或いは並列接続して構成し、或いは三個或いは三個以上の発光ダイオード順発光電流極性検出器を直列、並列または直並列接続にして構成する。
【００２０】
一方向性導電発光ダイオードセットＬ１００は、必要に応じて一セット或いは一セット以上の選択設置が可能で、整流装置ＢＲ１０１出力の直流の電気エネルギーによって駆動する。
ＬＥＤ一方向性駆動回路Ｕ１００の中の第一インピーダンスＺ１０１、第二インピーダンスＺ１０２、一方向性導電発光ダイオードセットＬ１００及び整流装置ＢＲ１０１は、必要に応じて一個或いは一個以上の選択が可能である。
【００２１】
第一インピーダンスＺ１０１或いは第二インピーダンスＺ１０２の分圧の電気エネルギーは、整流装置ＢＲ１０１によって直流電気エネルギーに整流してから、少なくとも一個の一方向性導電発光ダイオードを駆動する。或いは、二個別々に第一インピーダンスＺ１０１及び第二インピーダンスＺ１０２の両端にそれぞれ並列接続する２個の整流装置ＢＲ１０１を駆動し、整流装置ＢＲ１０１によって、別々に第一インピーダンスＺ１０１及び第二インピーダンスＺ１０２の交流電気エネルギーを直流に整流して出力し、更に個別の一方向性導電発光ダイオードを駆動する。
【００２２】
（第１実施形態）
以下、本発明の第１実施形態による二方向性電気エネルギーインピーダンス分圧によるＬＥＤ一方向性駆動回路において、その回路例のコンポネントの選択を以下の通りである。
（１）一個の第一インピーダンスＺ１０１、一個の第二インピーダンスＺ１０２、一個の整流装置ＢＲ１０１及び一個の一方向性導電発光ダイオードセットＬ１００によって構成され、実際に応用するとき、関連装置の選択数量を制限するものではない。
【００２３】
（２）コンデンサーのキャパシティブインピーダンスをインピーダンスコンポネントの代表とし、本実施形態においては、第一インピーダンスＺ１０１及び第二インピーダンスＺ１０２を構成する。実際に応用するとき、必要に応じて各種のキャパシティブインピーダンスコンポネント、誘導性インピーダンスコンポネント或いは抵抗性インピーダンスコンポネントの選択使用が可能で、以下に詳しく説明する。
【００２４】
図２は、本発明の第１実施形態による二方向性電気エネルギーインピーダンス分圧によるＬＥＤ一方向性駆動回路の回路例を示す模式図であって、第一インピーダンスＺ１０１、第二インピーダンスＺ１０２、整流装置ＢＲ１０１、一方向性導電発光ダイオードセットＬ１００、放電抵抗Ｒ１０１、放電抵抗Ｒ１０２及び限流抵抗Ｒ１０３を備える。
第一インピーダンスＺ１０１は、少なくとも一個のキャパシティブインピーダンスによって構成され、特にコンデンサーＣ１００によって構成される。第一インピーダンスＺ１０１の数量は、一個或いは一個以上である。
第二インピーダンスＺ１０２は、少なくとも一個のキャパシティブインピーダンスによって構成され、特にコンデンサーＣ１０２によって構成される。第二インピーダンスＺ１０２の数量は、一個或いは一個以上である。
【００２５】
少なくとも一個の第一インピーダンスＺ１０１と少なくとも一個の第二インピーダンスＺ１０２を直列接続し、二者を直列接続したその両端は、以下のいずれかが入力される。
（１）固定或いは可変電圧及び固定或いは可変周波数の交流電気エネルギー。
（２）直流電源から転換される固定或いは可変電圧及び固定或いは可変周波数或いは周期の二方向性正弦波電圧、二方向性方波電圧、或いは二方向性脈動波形の電圧の交流電気エネルギー。
（３）交流電気エネルギーを整流した直流電気エネルギーを再転換した固定或いは可変電圧及び固定或いは可変周波数或いは周期の二方向性正弦波電圧、二方向性方波電圧、或いは二方向性脈動波形の電圧の交流電気エネルギー。
【００２６】
整流装置ＢＲ１０１は、少なくとも一個の整流装置ＢＲ１０１を設置することによって、第一インピーダンスＺ１０１或いは第二インピーダンスＺ１０２の両端からの分圧電気エネルギーを入力し、或いは二個或いは二個以上の整流装置ＢＲ１０１を設置して別々に第一インピーダンスＺ１０１及び第二インピーダンスＺ１０２の両端からの分圧電気エネルギーを入力し、第一インピーダンスＺ１０１或いは第二インピーダンスＺ１０２の両端の分圧する電気エネルギーを直流の電気エネルギーに整流し、一方向性導電発光ダイオードセットＬ１００を駆動する。
【００２７】
整流装置ＢＲ１０１は、ブリッジ整流器或いは半波整流器より構成することが可能であり、整流装置ＢＲ１０１の数量は、一個或いは一個以上である。
一方向性導電発光ダイオードセットＬ１００は、一個の発光ダイオードＬＥＤ１０１順発光電流極性検出器より構成し、或いは二個或いは二個以上の発光ダイオードＬＥＤ１０１順発光電流極性検出器を直列或いは並列接続にして構成し、或いは三個或いは三個以上の発光ダイオードＬＥＤ１０１順発光電流極性検出器を直列、並列または直並列接続にして構成する。一方向性導電発光ダイオードセットＬ１００は必要に応じて一セット或いは一セット以上の選択が可能で、整流装置ＢＲ１０１出力の直流の電気エネルギーによって駆動する。
【００２８】
整流装置ＢＲ１０１の交流入力端へ第二インピーダンスＺ１０２のコンデンサーＣ１０２の両端にある分電圧の電気エネルギーを入力し、整流装置ＢＲ１０１によって直流電気エネルギーに整流することによって、一方向性導電発光ダイオードセットＬ１００を駆動し、また第一インピーダンスＺ１０１のインピーダンスを通して電流を制限する。第一インピーダンスＺ１０１にキャパシティブインピーダンスコンポネントＣ１００を用いるとき、キャパシティブインピーダンスを通して出力電流を制限する。
【００２９】
放電抵抗Ｒ１０１は、オプションコンポネントである。第一インピーダンスＺ１０１のコンデンサーＣ１００の両端に並列接続することによって、コンデンサーＣ１００の残留電荷を放電する。
放電抵抗Ｒ１０２は、オプションコンポネントである。第二インピーダンスＺ１０２のコンデンサーＣ１０２の両端に並列接続することによって、コンデンサーＣ１０２の残留電荷を放電する。
【００３０】
限流抵抗Ｒ１０３は、オプションコンポネントである。個別一方向性導電発光ダイオードセットＬ１００を構成する発光ダイオードＬＥＤ１０１を直列に接続することによって、発光ダイオードＬＥＤ１０１の通過電流を制限する。限流抵抗Ｒ１０３は誘導性インピーダンスコンポネントＩ１０３によって取り替えられることが可能である。
第一インピーダンスＺ１０１、第二インピーダンスＺ１０２、整流装置ＢＲ１０１及び一方向性導電発光ダイオードセットＬ１００を通して、上記の配線構造に従って接続し、ＬＥＤ一方向性駆動回路Ｕ１００を構成する。
【００３１】
また本発明の第１実施形態による二方向性電気エネルギーインピーダンス分圧によるＬＥＤ一方向性駆動回路のＬＥＤ一方向性駆動回路Ｕ１００において、一方向性導電発光ダイオードセットＬ１００を通して、整流装置ＢＲ１０１と第二インピーダンスＺ１０２を経て、並列接続の電流分流効果を形成し、電源電圧が変動するとき、一方向性導電発光ダイオードセットＬ１００の両端に相対する電源の電圧変動率を減少させることが可能である。
【００３２】
本発明の第１実施形態による二方向性電気エネルギーインピーダンス分圧によるＬＥＤ一方向性駆動回路のＬＥＤ一方向性駆動回路Ｕ１００において、一方向性導電発光ダイオードセットＬ１００を構成する発光ダイオードＬＥＤ１０１の選択は以下のようであってもよい。
一方向性導電発光ダイオードセットＬ１００は、一個の発光ダイオード順発光電流極性検出器を設置するによって構成され、或いは二個或いは二個以上の発光ダイオード順発光電流極性検出器を直列接続或いは並列接続によって構成され、或いは三個或いは三個以上の発光ダイオード順発光電流極性検出器を直列接続、並列接続または直並列接続によって構成される。一方向性導電発光ダイオードセットＬ１００は必要に応じて一セット或いは一セット以上を選択設置する。
【００３３】
（第２実施形態）
図３は、本発明の第２実施形態による二方向性電気エネルギーインピーダンス分圧によるＬＥＤ一方向性駆動回路の回路例を示す模式図である。
発光ダイオードＬＥＤ１０１を保護し、かつ発光ダイオードＬＥＤ１０１の異常電圧による損傷或いは寿命短縮を防ぐために、本発明の第２実施形態による二方向性電気エネルギーインピーダンス分圧によるＬＥＤ一方向性駆動回路は、ＬＥＤ一方向性駆動回路Ｕ１００において、更に一方向性導電発光ダイオードセットＬ１００を構成する発光ダイオードＬＥＤ１０１の両端をツェナーダイオードＺＤ１０１と並列接続し、或いはツェナーダイオードＺＤ１０１をまず少なくとも一個のダイオードと直列接続し、ツェナー電圧効果を生じさせてから、再び発光ダイオードＬＥＤ１０１の両端と並列に接続する。
【００３４】
その構成は、以下のいずれかである。
ＬＥＤ一方向性駆動回路Ｕ１００の中に、一方向性導電発光ダイオードセットＬ１００を構成する発光ダイオードＬＥＤ１０１の両端をツェナーダイオードＺＤ１０１と並列接続し、その極性関係はツェナーダイオードＺＤ１０１のツェナー電圧によって、発光ダイオードＬＥＤ１０１の両端の工作電圧を制限する。
【００３５】
ＬＥＤ一方向性駆動回路Ｕ１００の中で、一方向性導電発光ダイオードセットＬ１００を構成する発光ダイオードＬＥＤ１０１の両端に、ツェナーダイオードＺＤ１０１を並列接続し、ツェナーダイオードＺＤ１０１は必要に応じてダイオードＣＲ２０１とツェナーダイオードＺＤ１０１を直列接続する加設を選択し、共同してツェナー電圧効果の機能を形成する。その利点は（１）ツェナーダイオードＺＤ１０１を保護し、不正常な逆方向電流を防ぐことが可能であることと、（２）ダイオードＣＲ２０１とツェナーダイオードＺＤ１０１の二者は、温度補償効果を持っていることである。
【００３６】
（第三実施形態）
図４及び図５は、本発明の第３実施形態による二方向性電気エネルギーインピーダンス分圧によるＬＥＤ一方向性駆動回路の回路例を示す模式図である。
本発明の第３実施形態による二方向性電気エネルギーインピーダンス分圧によるＬＥＤ一方向性駆動回路のＬＥＤ一方向性駆動回路Ｕ１００において、発光ダイオードＬＥＤ１０１の発光安定度を高めるために、更に発光ダイオードＬＥＤ１０１に充放電可能装置ＥＳＤ１０１を設置する。充放電可能装置ＥＳＤ１０１は、アットランダムに充電或いは電気エネルギーを釈放することによって、発光ダイオードＬＥＤ１０１の発光安定度を安定させ、明度の脈動を減少する。或いは断電時、充放電可能装置ＥＳＤ１０１により貯蔵した電気エネルギーを出力することより、充放電可能装置ＥＳＤ１０１を駆動し、持続発光させる。
【００３７】
図４は、ＬＥＤ一方向性駆動回路Ｕ１００における発光ダイオードと直列に接続する限流抵抗の両端を充放電可能装置と並列に接続するときの回路例を示す。
図５は、ＬＥＤ一方向性駆動回路Ｕ１００における発光ダイオードの両端を充放電可能装置と並列に接続するときの回路例を示す。
本発明の第３実施形態による二方向性電気エネルギーインピーダンス分圧によるＬＥＤ一方向性駆動回路の構成について以下に述べる。
【００３８】
更に一方向性導電発光ダイオードセットＬ１００を蓄放電可能装置ＥＳＤ１０１と接続し、図４に示すように、発光ダイオードＬＥＤ１０１と限流抵抗Ｒ１０３を直列接続後の両端、或いは図５に示すように、直接に発光ダイオードＬＥＤ１０１の両端に、極性に従って充放電可能装置ＥＳＤ１０１を並列接続する。充放電可能装置ＥＳＤ１０１は、アットランダムに充電或いは電気エネルギーを放出することによって、発光ダイオードＬＥＤ１０１の発光安定度を安定させ、断電時、充放電可能装置ＥＳＤ１０１より貯蔵した電気エネルギーを出力することより、発光ダイオードＬＥＤ１０１を駆動して持続発光させる。
【００３９】
充放電可能装置ＥＳＤ１０１は、各種のよく使われる充放電可能な電池、超コンデンサー、コンデンサーによって構成される。
本発明の第１から第３実施形態の回路例において、応用の必要に応じて、第一インピーダンスＺ１０１、第二インピーダンスＺ１０２、整流装置ＢＲ１０１、一方向性導電発光ダイオードセットＬ１００、発光ダイオードＬＥＤ１０１及び上記の各項の選択補助性回路のコンポネントは、必要に応じて設置するかしないかを選択し、かつその設置数量は一個或いは一個以上によって構成され、もし一個以上を選択する場合、回路機能の必要に応じて、相対極性関係を直列、並列または直並列接続にすることを選定する。その構成について、以下に説明する。
【００４０】
第一インピーダンスＺ１０１は、一個に或いは一個以上によって構成されることが可能で、かつ直列接続、並列接続または直並列接続される。複数個を設置するとき、各第一インピーダンスＺ１０１は同じ類別のキャパシティブインピーダンス、誘導性インピーダンスコンポネント或いは抵抗性インピーダンスコンポネントによって構成され、或いは異なる類別のインピーダンスコンポネントによって構成される。そのインピーダンス値は同じ或いは異なってもよい。
【００４１】
第二インピーダンスＺ１０２は、一個に或いは一個以上によって構成されることが可能で、かつ直列接続、並列接続または直並列接続される。複数個を設置するとき、各第二インピーダンスは同じ類別のキャパシティブインピーダンス、誘導性インピーダンスコンポネント或いは抵抗性インピーダンスコンポネントによって構成され、或いは異なる類別のインピーダンスコンポネントによって構成される。そのインピーダンス値は同じ或いは異なってもよい。
発光ダイオードＬＥＤ１０１は、一個或いは一個以上より構成され、しかも直列、並列、または直並列接続されることが可能である。
【００４２】
ＬＥＤ一方向性駆動回路Ｕ１００の一方向性導電発光ダイオードセットＬ１００において、一セットの一方向性導電発光ダイオードセットＬ１００を選択設置し、或いは一セット以上の一方向性導電発光ダイオードセットＬ１００を選択設置し、直列、並列または直並列に接続することが可能である。一方向性導電発光ダイオードセットＬ１００は、もし一セット或いは一セット以上を選択設置した場合、対応する整流装置ＢＲ１０１を介して、共同して同一第二インピーダンスＺ１０２の分圧電気エネルギーによって駆動され、或いは、多セットの直列或いは並列に接続する第二インピーダンスＺ１０２の分圧電気エネルギーにより個別に駆動される。その多セットの個々の第二インピーダンスＺ１０２は、それぞれ整流装置ＢＲ１０１とともに設置され、それぞれ対応する一方向性導電発光ダイオードセットＬ１００を駆動する。
【００４３】
ＬＥＤ一方向性駆動回路Ｕ１００の中に充放電可能装置ＥＳＤ１０１を設けた場合、一方向性導電発光ダイオードセットＬ１００の中の発光ダイオードＬＥＤ１０１を駆動し、連続直流によって通電発光する。
もし充放電可能装置ＥＳＤ１０１を設置しない場合、発光ダイオードＬＥＤ１０１は断続導電となり、発光ダイオードＬＥＤ１０１は入力電圧波形及び導電と断電時間の割合（Ｄｕｔｙ  Ｃｙｃｌｅ）に従って、また通電発光時の順電流値（Ｆｏｒｗａｒｄ  Ｃｕｒｒｅｎｔ）を相対選定し、かつ一方向性導電性発光ダイオードセットＬ１００の各発光ダイオードＬＥＤ１０１の通電発光時の順電圧ピーク値（Ｐｅａｋ  ｏｆ  Ｆｏｒｗａｒｄ  Ｖｏｌｔａｇｅ）の構成を相対選択する。その選択は以下のいずれかである。
【００４４】
１）発光ダイオードＬＥＤ１０１の定格順電圧（Ｒａｔｅ  Ｆｏｒｗａｒｄ  Ｖｏｌｔａｇｅ）より低い値を通電発光の順電圧ピーク値とする。
２）発光ダイオードＬＥＤ１０１の定格順電圧を通電発光の順電圧ピーク値とする。
３）もし回路中発光ダイオードＬＥＤ１０１が断続導電の駆動状態になった場合、導電及び断電時間の割合に従って、また定格順電圧より高い値を通電発光の順電圧ピーク値として相対選定する。ただし原則として、通電発光の順電圧ピーク値は発光ダイオードＬＥＤ１０１にダメージを与えてはならない。
【００４５】
上記の通電発光の順電圧（Ｆｏｒｗａｒｄ  Ｖｏｌｔａｇｅ）の高低及び波形は、通電発光の順電圧が通電発光の順電流に対する割合（Ｆｏｒｗａｒｄ  Ｖｏｌｔａｇｅ  ｖｓ．  Ｆｏｒｗａｒｄ  Ｃｕｒｒｅｎｔ）の電流大小及び電流波形を形成する。ただし原則として、通電発光の順電流ピーク値は、発光ダイオードＬＥＤ１０１にダメージを与えてはならない。
上記の順向電流の大小及び波形を通して、必要な電流が相対光度に対する割合（Ｆｏｒｗａｒｄ  Ｃｕｒｒｅｎｔ  ｖｓ．  Ｒｅｌａｔｉｖｅ  Ｌｕｍｉｎｏｓｉｔｙ）の照度を形成し或いは照度変化を有段或いは無段に調整制御する。
【００４６】
放電抵抗Ｒ１０１は、必要に応じて選択的に一個或いは一個以上によって構成され、直列、並列または直並列接続する。
放電抵抗Ｒ１０２は、必要に応じて選択的に一個或いは一個以上によって構成され、直列、並列または直並列接続する。
限流抵抗Ｒ１０３は、必要に応じて選択的に一個或いは一個以上によって構成され、直列、並列または直並列接続する。
【００４７】
誘導性インピーダンスコンポネントＩ１０３は、一個或いは一個以上によって構成され、直列、並列または直並列接続する。
ツェナーダイオードＺＤ１０１は、一個或いは一個以上によって構成され、直列、並列または直並列接続する。
ダイオードＣＲ２０１は、一個或いは一個以上によって構成され、直列、並列または直並列接続する。
充放電可能装置ＥＳＤ１０１は、一個或いは一個以上によって構成され、直列、並列または直並列接続する。
【００４８】
本発明の実施形態による二方向性電気エネルギーインピーダンス分圧によるＬＥＤ一方向性駆動回路のＬＥＤ一方向性駆動回路Ｕ１００を応用するとき、以下の各種形態の二方向性電気エネルギーのいずれかの入力が可能である。
（１）固定或いは可変電圧及び固定或いは可変周波数の交流電気エネルギー。
（２）直流電源から転換される固定或いは可変電圧及び固定或いは可変周波数或いは周期の二方向性正弦波電圧、二方向性方波電圧、或いは二方向性脈動波形の電圧の交流電気エネルギー。
（３）交流電気エネルギーを整流した直流電気エネルギーを再転換した固定或いは可変電圧及び固定或いは可変周波数或いは周期の二方向性正弦波電圧、二方向性方波電圧、或いは二方向性脈動波形の電圧の交流電気エネルギー。
【００７９】
（第４実施形態）
本発明の第４実施形態による二方向性電気エネルギーインピーダンス分圧によるＬＥＤ一方向性駆動回路において、第二インピーダンスＺ１０２の誘導性インピーダンスコンポネントＩ２００の選択は、更に誘導効果を持つ変圧器の電源巻線セットによって取り替えられることが可能である。変圧器は単巻変圧巻線を持つ単巻変圧器ＳＴ２００、或いは分離式変圧巻線を持つ変圧器ＩＴ２００に選択することが可能である。
【００８０】
図６は、本発明の第４実施形態による二方向性電気エネルギーインピーダンス分圧によるＬＥＤ一方向性駆動回路において、単巻変圧器の単巻変圧の電源巻線によって第二インピーダンスの誘導性インピーダンスコンポネントを取り替える昇圧回路例示す模式図である。
図６の単巻変圧器ＳＴ２００は、昇圧機能を持つ単巻変圧巻線Ｗ０を備え、単巻変圧器ＳＴ２００の単巻変圧巻線Ｗ０のｂ、ｃ端を電源側とし、第二インピーダンスＺ１０２の中の誘導性インピーダンスコンポネントＩ２００を取り替えることによって、第二インピーダンスＺ１０２を構成し、第一インピーダンスＺ１０１のコンデンサーＣ１００と直列接続した固有直列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ直列共振状態を形成する。単巻変圧器ＳＴ２００の単巻変圧巻線Ｗ０のａ、ｃ出力端から昇圧交流の電気エネルギーを出力し、整流装置ＢＲ１０１の交流入力端へ出力し、かつ整流装置ＢＲ１０１の直流出力端によって、一方向性導電発光ダイオードセットＬ１００を駆動する。
【００８１】
図７は、本発明の第４実施形態による二方向性電気エネルギーインピーダンス分圧によるＬＥＤ一方向性駆動回路において、単巻変圧器の単巻変圧の電源巻線によって第二インピーダンスの誘導性インピーダンスコンポネントを取り替える降圧回路例示す模式図を示す。
図７の単巻変圧器ＳＴ２００は、降圧機能を持つ単巻変圧巻線Ｗ０を備え、単巻変圧器ＳＴ２００の単巻変圧巻線Ｗ０のａ、ｃ端を電源側とし、第二インピーダンスＺ１０２の中の誘導性インピーダンスコンポネントＩ２００を取り替えることによって、第二インピーダンスＺ１０２を構成し、第一インピーダンスＺ１０１のコンデンサーＣ１００と直列接続した固有直列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ直列共振状態を形成する。単巻変圧器ＳＴ２００の単巻変圧巻線Ｗ０のｂ、ｃ出力端から降圧交流の電気エネルギーを出力し、整流装置ＢＲ１０１の交流入力端へ出力し、かつ整流装置ＢＲ１０１の直流出力端によって、一方向性導電発光ダイオードセットＬ１００を駆動する。
【００８２】
図８は、本発明の第４実施形態による二方向性電気エネルギーインピーダンス分圧によるＬＥＤ一方向性駆動回路において、分離式変圧巻線の分離式変圧器の一次巻線によって第二インピーダンスの誘導性インピーダンスコンポネントを取り替える回路例を示す模式図である。
図８に示す分離式変圧器ＩＴ２００は、一次巻線Ｗ１及び二次巻線Ｗ２によって構成される。一次巻線Ｗ１と二次巻線Ｗ２との二者が分離され、一次巻線Ｗ１によって第二インピーダンスＺ１０２を構成し、第一インピーダンスＺ１０１のコンデンサーＣ１００と直列接続した固有直列共振周波数は、電源からの二方向性電気エネルギー、例えば交流電気エネルギーの周波数或いは直流電気エネルギーから転換される固定或いは可変電圧及び固定或いは可変交換極性周期の電気エネルギーの交換極性周期と同じで、かつ直列共振状態を形成する。分離式変圧器ＩＴ２００の二次巻線Ｗ２の出力電圧は、必要に応じて昇圧或いは降圧の選択が可能で、二次巻線出力の交流電気エネルギーは、整流装置ＢＲ１０１の交流入力端へ出力し、整流装置ＢＲ１０１の直流出力端は、一方向性導電発光ダイオードセットＬ１００へ出力する。
【００８３】
上述を通して、変圧器の電源巻線によって第二インピーダンスＺ１０２の中の誘導性インピーダンスコンポネントＩ２００を取換え、かつ分離式変圧器ＩＴ２００の二次側昇圧出力の交流電圧或いは降圧出力の交流の電気エネルギーを整流装置ＢＲ１０１の交流入力端へ伝送してから、整流装置ＢＲ１０１の出力端から直流電気エネルギーを出力することによって、一方向性導電発光ダイオードセットＬ１００を駆動する。
【００８４】
（第５実施形態）
本発明の第５実施形態による二方向性電気エネルギーインピーダンス分圧によるＬＥＤ一方向性駆動回路は、第二インピーダンスＺ１０２として誘導性インピーダンスコンポネントＩ２００を選択するときは、誘導効果を持つ変圧器の電源巻線によって取り替え、またコンデンサーＣ２００と並列接続する並列共振によって、第二インピーダンスＺ０１２を構成し、変圧器は単巻変圧巻線を持つ単巻変圧器ＳＴ２００或いは分離式変圧巻線の変圧器ＩＴ２００を持つものを選択することが可能である。
【００８５】
図９は、本発明の第５実施形態による二方向性電気エネルギーインピーダンス分圧によるＬＥＤ一方向性駆動回路において、単巻変圧器の単巻変圧の電源巻線とコンデンサーを並列接続し、並列共振を形成する昇圧回路例を示す模式図である。
図９の単巻変圧器ＳＴ２００は、昇圧機能を持つ単巻変圧巻線Ｗ０を備える。単巻変圧器ＳＴ２００の単巻変圧巻線Ｗ０のｂ、ｃ端を電源側とし、第二インピーダンスＺ１０２の中の誘導性インピーダンスコンポネントＩ２００を取り替えることによって、コンデンサーＣ２００と並列に接続し、並列接続後の固有並列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ並列共振状態を形成することによって、第二インピーダンスＺ１０２を構成し、第一インピーダンスＺ１０１を構成するコンデンサーＣ１００と直列に接続する。コンデンサーＣ２００は単巻変圧器ＳＴ２００のタップ（ＴＡＰ）のａ、ｃ間或いはｂ、ｃ間或いは必要に応じてほかのタップ間での並列接続の選択が可能で、単巻変圧器ＳＴ２００の単巻変圧巻線Ｗ０のａ、ｃ出力端から昇圧交流の電気エネルギーを出力し、整流装置ＢＲ１０１の交流入力端へ出力し、かつ整流装置ＢＲ１０１の直流出力端によって、一方向性導電発光ダイオードセットＬ１００を駆動する。
【００８６】
図１０は、本発明の第５実施形態による二方向性電気エネルギーインピーダンス分圧によるＬＥＤ一方向性駆動回路において、単巻変圧器の単巻変圧の電源巻線とコンデンサーを並列接続し、並列共振を形成する降圧回路例を示す模式図である。
図１０の単巻変圧器ＳＴ２００は、降圧機能を持つ単巻変圧巻線Ｗ０を備える。単巻変圧器ＳＴ２００の単巻変圧巻線Ｗ０のａ、ｃ端を電源側とし、第二インピーダンスＺ１０２の中の誘導性インピーダンスコンポネントＩ２００を取り替えることによって、コンデンサーＣ２００と並列に接続し、並列接続後の固有並列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ並列共振状態を形成することによって、第二インピーダンスＺ１０２を構成し、第一インピーダンスＺ１０１を構成するコンデンサーＣ１００と直列に接続する。コンデンサーＣ２００は、単巻変圧器ＳＴ２００のタップのａ、ｃ間或いはｂ、ｃ間或いは必要に応じてほかのタップ間での並列接続の選択が可能で、単巻変圧器ＳＴ２００の単巻変圧巻線Ｗ０のｂ、ｃ出力端から降圧交流の電気エネルギーを出力し、整流装置ＢＲ１０１の交流入力端へ出力し、かつ整流装置ＢＲ１０１の直流出力端によって、一方向性導電発光ダイオードセットＬ１００を駆動する。
【００８７】
図１１は、本発明第５実施形態による二方向性電気エネルギーインピーダンス分圧によるＬＥＤ一方向性駆動回路において、分離式変圧巻線の分離式変圧器を持つ一次巻線とコンデンサーを並列接続し、並列共振を形成する回路例を示す模式図である。
図１１の中にある分離式変圧器ＩＴ２００は一次巻線Ｗ１及び二次巻線Ｗ２によって構成される。一次巻線Ｗ１と二次巻線Ｗ２との二者が分離され、その一次巻線Ｗ１はコンデンサーＣ２００と並列に接続し、並列接続後の固有並列共振周波数は、電源からの二方向性電気エネルギー、例えば交流電気エネルギーの周波数、或いは直流電気エネルギーから転換される固定或いは可変電圧及び固定或いは可変交換極性周期の電気エネルギーの交換極性周期と同じで、かつ並列共振状態を形成することによって、第二インピーダンスＺ１０２を構成してから、第一インピーダンスＺ１０１を構成するコンデンサーＣ１００と直列に接続し、コンデンサーＣ２００は単巻変圧器ＳＴ２００のタップのａ、ｃ間或いはｂ、ｃ間或いは必要に応じてほかのタップ間での並列接続の選択が可能である。分離式変圧器ＩＴ２００の二次巻線Ｗ２の出力電圧は、必要に応じて昇圧或いは降圧の選択が可能で、二次巻線出力の交流電気エネルギーは、整流装置ＢＲ１０１の交流入力端へ出力し、整流装置ＢＲ１０１の直流出力端は、一方向性導電発光ダイオードセットＬ１００へ出力する。
【００８８】
上記の変圧器の電源巻線によって第二インピーダンスＺ１０２中の誘導性インピーダンスコンポネントＩ２００を取り替え、コンデンサーＣ２００と並列に接続する並列共振を通して、第二インピーダンスＺ１０２を構成する。また分離式変圧器ＩＴ２００の二次側昇圧出力する交流電圧或いは降圧出力する交流の電気エネルギーは、整流装置ＢＲ１０１の交流入力端へ出力してから、整流装置ＢＲ１０１の出力端の直流の電気エネルギーを出力することによって、一方向性導電発光ダイオードセットＬ１００を駆動する。
【００８９】
本発明の実施形態による二方向性電気エネルギーインピーダンス分圧によるＬＥＤ一方向性駆動回路において、ＬＥＤ一方向性駆動回路Ｕ１００の一方向性導電発光ダイオードセットＬ１００を構成する個別発光ダイオードＬＥＤ１０１の色は、必要に応じて一種或いは一種以上の色によって構成する選択は可能である。
本発明の実施形態による二方向性電気エネルギーインピーダンス分圧によるＬＥＤ一方向性駆動回路のＬＥＤ一方向性駆動回路Ｕ１００において、一方向性導電発光ダイオードセットＬ１００を構成する個別発光ダイオードＬＥＤ１０１の間での配列の位置関係は、（１）順序に従う線状配列、（２）順序に従う面状配列、（３）交錯する線状配列、（４）交錯する面状配列、（５）特定平面に従う幾何学的な位置配列、（６）特定立体に従う幾何的な位置配列を示すことが可能である。
【００９０】
本発明の実施形態による二方向性電気エネルギーインピーダンス分圧によるＬＥＤ一方向性駆動回路において、ＬＥＤ一方向性駆動回路Ｕ１００の中にある回路コンポネントセットの構成形態は、（１）個別回路コンポネントより単独構成してから互いに接続する、（２）少なくとも二個の回路コンポネントセットによって組立てから、少なくとも二個の一部の機能のユニットを互いに接続する、（３）全体が一体に統合される、のいずれかである。
上記をまとめると、本発明の二方向性電気エネルギーインピーダンス分圧によるＬＥＤ一方向性駆動回路は、キャパシティブ単極性充放電によって発光ダイオードを駆動すると、革新的に電気節約、低熱損失、コスト削減機能を実現する。
【符号の説明】
【００９１】
ＢＲ１０１：整流装置、Ｃ１００、Ｃ１０２、Ｃ２００：コンデンサー、ＣＲ２０１：ダイオード、ＥＳＤ１０１：充放電可能装置、Ｉ１０３、Ｉ２００：誘導性インピーダンスコンポネント、ＩＴ２００：分離式変圧器、Ｌ１００：一方向性導電発光ダイオードセット、ＬＥＤ１０１：発光ダイオード、Ｒ１０１、Ｒ１０２：放電抵抗、Ｒ１０３：限流抵抗、ＳＴ２００：単巻変圧器、Ｕ１００：ＬＥＤ一方向性駆動回路、Ｗ０：単巻変圧巻線、Ｗ１：一次巻線、Ｗ２：二次巻線、Ｚ１０１：第一インピーダンス、Ｚ１０２：第二インピーダンス、ＺＤ１０１：ツェナーダイオード
【図１】
0005289984.tif 000002
【図２】
0005289984.tif 000003
【図３】
0005289984.tif 000004
【図４】
0005289984.tif 000005
【図５】
0005289984.tif 000006
【図６】
0005289984.tif 000007
【図７】
0005289984.tif 000008
【図８】
0005289984.tif 000009
【図９】
0005289984.tif 000010
【図１０】
0005289984.tif 000011
【図１１】
0005289984.tif 000012